(57)【要約】【課題】ベランダ鼻先部の高さが低いものでも、ブラケット本体を的確に固定できると共に、浮き上がりを防止できるようにした単管足場用ブラケットを提供する。【解決手段】ブラケット本体１と浮上がり止め２とからなる単管足場用ブラケットであって、ブラケット本体１は、水平材３と垂直材４とからなり、水平材３にはスライド部材５を所要位置で固定可能に設け、スライド部材５の下端部にベランダ鼻先部１０の内側面１０ｃに当接する当て金７を設け、垂直材４には単管足場の内側縦地単管Ｐinを掴締するパイプクランプ８を取り付け、浮上がり止め２は、それ自体の軸芯周りに回転可能に垂直材４に取り付けられる縦材９からなり、この縦材９の下端部にはベランダの下面１０ｄに当接する当て金１１を一体的に設ける。【選択図】図１
2008144533.tif 000002
【特許請求の範囲】
【請求項１】
ブラケット本体と浮上がり止めとからなる単管足場用ブラケットであって、
ブラケット本体は、建物のベランダ鼻先部の上端面に沿うように延びる水平材と、水平材の基端部に直角に連結されて、ベランダ鼻先部の外側面に沿うように延びる垂直材とからなるもので、水平材にはスライド部材を所要位置で固定可能に設けると共に、スライド部材の下端部にベランダ鼻先部の内側面に当接する当て金を設け、垂直材には単管足場の内側縦地単管を掴締するパイプクランプを取り付け、
浮上がり止めは、ブラケット本体の垂直材に沿うように配置されると共に、それ自体の軸芯周りに回転可能に垂直材に取り付けられる縦材と、この縦材の下端部に突設されて、ベランダの下面に当接する当て金とからなり、縦材の上端部に縦材回転操作用ハンドルを設けてなることを特徴とする単管足場用ブラケット。
【請求項２】
ブラケット本体の水平材に設けたスライド部材の上端部側にボルト支持台を取り付け、このボルト支持台には、水平材に沿ってその上部側に水平に配置されるスライド部材固定用ボルトの基端部を回転可能に係止し、水平材の垂直材側端部には、前記ボルトのネジ部を螺合するナット部材を取り付けてなることを特徴とする請求項１に記載の単管足場用ブラケット。
【請求項３】
浮上がり止めの縦材は、ブラケット本体の垂直材の上端部に取り付けたパイプクランプによって、それ自体の軸芯周りに回転可能に垂直材に取り付けられることを特徴とする請求項１又は２に記載の単管足場用ブラケット。
【発明の詳細な説明】
【技術分野】
【０００１】
本発明は、マンションなどの外壁補修工事の際に仮設される単管足場の組立にあたり、単管足場の内側縦地単管をベランダの鼻先部側に取り付けるのに使用される単管足場用ブラケットに関する。
【背景技術】
【０００２】
従来の単管足場用ブラケットとして、特許公報などの具体的な公知文献を挙げることはできないが、現在使用されている単管足場用ブラケットは、図５の(a) に示すように、ベランダの鼻先部１０の上端面１０ａに沿うように水平に配置される水平材３１と、この水平材３１の基端部から垂直下向きに延びる垂直材３２とでＬ字状に形成されるブラケット本体３３からなるもので、水平材３１にはスライド部材３４を固定用ボルト３５によって所要位置で固定可能に取り付け、このスライド部材３４の下端部には螺軸ホルダー３９を介して締付用螺軸３６を螺装し、この締付用螺軸３６の先端部に当て金３７を取り付け、そして垂直材３２には、内側縦地単管Ｐinを掴締するパイプクランプ３８を取り付けている。
【０００３】
しかして、この単管足場用ブラケットの使用にあたっては、ブラケット本体３３の水平材３１をベランダの鼻先部１０の上端面１０ａに載せると共に、垂直材３２を鼻先部１０の外側面１０ｂに当て付けた状態で、ベランダの内側から締付用螺軸３６を締付方向に回転させながら先端部の当て金３７を鼻先部１０の内側面１０ｃに圧接することによって、ブラケット本体３３を鼻先部１０に固定する。その後に、単管足場の内側縦地単管Ｐinをパイプクランプ３８で掴締して鉛直に保持する。
【発明の開示】
【発明が解決しようとする課題】
【０００４】
上記のような単管足場用ブラケットによると、ベランダ鼻先部１０の高さがある程度高ければ問題ないが、図５の(b) に示すベランダ鼻先部１０のように高さの低いものでは、ブラケット本体３３の水平材３１を鼻先部１０の上端面１０ａに載せ、垂直材３２を鼻先部１０の外側面１０ｂに当て付けて、ベランダの内側から締付用螺軸３６の先端部の当て金３７を鼻先部１０の内側面１０ｃに当て付けようとすると、スライド部材３４の下端部に取り付けた螺軸ホルダー３９の下端がベランダの床面に当たって、ブラケット本体３３の取り付けができないという問題がある。また上記のようなブラケットでは、足場に対し上向きの風圧がかかるような時に、ブラケットが浮き上がるような危険性があった。
【０００５】
本発明は、上記のような問題に鑑みてなされたもので、ベランダ鼻先部の高さが低いものでも、ブラケット本体を的確に固定できると共に、ブラケット本体の浮き上がりを防止できるようにした単管足場用ブラケットを提供することを目的とする。
【課題を解決するための手段】
【０００６】
上記課題を解決するための手段を、後述する実施形態の参照番号を付して説明すると、請求項１に係る発明は、ブラケット本体１と浮上がり止め２とからなる単管足場用ブラケットであって、
ブラケット本体１は、建物のベランダ鼻先部１０の上端面１０ａに沿うように延びる水平材３と、水平材３の基端部に直角に連結されて、ベランダ鼻先部１０の外側面１０ｂに沿うように延びる垂直材４とからなるもので、水平材３にはスライド部材５を所要位置で固定可能に設けると共に、スライド部材５の下端部にベランダ鼻先部１０の内側面１０ｃに当接する当て金７を設け、垂直材４には単管足場の内側縦地単管Ｐinを掴締するパイプクランプ８を取り付け、
浮上がり止め２は、ブラケット本体１の垂直材４に沿うように配置されると共に、それ自体の軸芯周りに回転可能に垂直材４に取り付けられる縦材９と、この縦材９の下端部に突設された、ベランダの下面１０ｄに当接する当て金１１とからなり、縦材９の上端部に縦材回転操作用ハンドル１２を設けてなることを特徴とする。
【０００７】
請求項２は、請求項１に記載の単管足場用ブラケットにおいて、ブラケット本体１の水平材３に設けたスライド部材５の上端部側にボルト支持台１３を取り付け、このボルト支持台１３には、水平材３に沿ってその上部側に水平に配置されるスライド部材固定用ボルト６の基端部を回転可能に係止し、水平材３の垂直材４側端部には、前記ボルト６のネジ部６ａを螺合するナット部材１４を取り付けてなることを特徴とする。
【０００８】
請求項３は、請求項１又は２に記載の単管足場用ブラケットにおいて、浮上がり止め２の縦材９は、ブラケット本体１の垂直材４の上端部に取り付けたパイプクランプ２０によって、それ自体の軸芯周りに回転可能に垂直材４に取り付けられることを特徴とする。
【発明の効果】
【０００９】
上記解決手段による発明の効果を、後述する実施形態の参照番号を付して説明すると、請求項１に係る発明の単管足場用ブラケットによれば、ブラケット本体１が、ベランダ鼻先部１０の上端面１０ａに沿うように延びる水平材３と、水平材３の基端部に直角に連結されて、ベランダ鼻先部１０の外側面１０ｂに沿うように延びる垂直材４とからなり、水平材３にスライド部材５を所要位置で固定可能に設け、スライド部材５の下端部にはベランダ鼻先部１０の内側面１０ｃに当接する当て金７を設け、垂直材４には単管足場の内側縦地単管Ｐinを掴締するパイプクランプ８を取り付けたもので、使用にあたって、スライド部材５下端部の当て金７は、ベランダ鼻先部１０の高さが低い場合でも、鼻先部１０の内側にある排水溝３０に突入することはあっても、ベランダ床面Ｆに当たることがないから、高さが可なり低いベランダ鼻先部１０にも適用可能で、その鼻先部１０に的確に固定することができる。
【００１０】
また、この単管足場用ブラケットによれば、ブラケット本体１の垂直材４に沿うように配置されてそれ自体の軸芯周りに回転可能に垂直材４に取り付けられる縦材９の下端部に、ベランダの下面１０ｄに当接する当て金１１を一体的に設けてなる浮上がり止め２によって、ブラケット本体１の浮き上がりを防止することができる。
【００１１】
請求項２に係る発明によれば、スライド部材５の上端部側にボルト支持台１３を取り付け、このボルト支持台１３には、水平材３に沿ってその上部側に水平に配置されるスライド部材固定用ボルト６の基端部を回転可能に係止し、水平材３の垂直材４側端部にはボルト６のネジ部６ａを螺合するナット部材１４を取り付けているから、スライド部材５のスライド操作が容易となる。
【００１２】
請求項３に係る発明によれば、浮上がり止め２の縦材９は、ブラケット本体１の垂直材４の上端部に取り付けたパイプクランプ２０によって、それ自体の軸芯周りに回転可能に垂直材４に取り付けられるから、ブラケット本体１の垂直材４に対する縦材９の取付けが容易となる。
【発明を実施するための最良の形態】
【００１３】
以下に、本発明の好適実施形態を図面に基づいて説明すると、図１の(a) は本発明に係る単管足場用ブラケットの使用状態を示す正面図、(b) は平面図、(c) は側面図であり、図２の(a) は同単管足場用ブラケットのブラケット本体を示す正面図、(b) は浮上がり止めを示す正面図である。これらの図においてＡで示す本発明の単管足場用ブラケットは、基本的にブラケット本体１と浮上がり止め２とによって構成される。
【００１４】
ブラケット本体１は、建物におけるベランダの鼻先部１０の上端面１０ａに沿うように延びる角形鋼管製の水平材３と、この水平材３の基端部に直角に連結されて、ベランダの鼻先部１０の外側面１０ｂに沿うように延びる角形鋼管製の垂直材４とからなるもので、水平材３にはスライド部材５が長手方向に沿ってスライド可能で且つスライド部材固定用ボルト６によって所要位置で固定可能に設けられ、このスライド部材５の下端部にはベランダ鼻先部１０の内側面１０ｃに当接する当て金７が設けられ、垂直材４には単管足場の内側縦地単管Ｐinを掴締するパイプクランプ８が上下複数箇所に取り付けられている。
【００１５】
浮上がり止め２は、ブラケット本体１の垂直材４に沿うように配置されると共に、パイプクランプ２０によって当該縦材９自体の軸芯周りに回転可能に垂直材４に取り付けられる丸形鋼管製の縦材９と、この縦材９の下端部に一体的に取り付けられて、ベランダの下面１０ｄに当接するように突出する当て金１１とから構成されるもので、縦材９の上端部には縦材回転操作用ハンドル１２が設けられている。
【００１６】
上記ブラケット本体１及び浮上がり止め２の各構造についてさらに詳しく説明すれば、スライド部材５は、角形鋼管製の水平材３にスライド可能に嵌合される角形鋼管製の部材からなるもので、このスライド部材５の上端部には、前後側壁部１３ａ，１３ａと上壁部１３ｂとによって下向きコ字状に形成されるボルト支持台１３が固着され、この下向きコ字状ボルト支持台１３の前後側壁部１３ａ，１３ａには夫々ボルト挿通孔１３ｃが形成されている。また、水平材３の垂直材４側端部にはナット部材１４が設けられ、このナット部材１４は、水平材３に跨嵌してボルト１６止めされたナット受け片１５の上面に溶接で固着される。
【００１７】
また、スライド部材固定用ボルト６は、ボルト支持台１３の前後側壁部１３ａ，１３ａに形成されたボルト挿通孔１３ｃ，１３ｃに挿通されて、先端側のネジ部６ａがナット部材１４に螺合されると共に、このボルト６の基端部側が六角形状に形成された回転操作部６ｂとされ、この回転操作部６ｂの先端に、ボルト支持台１３の前側壁部１３ａに当接するストッパー６ｃが設けられている。従って、このボルト６の基端部側回転操作部６ｂをレンチなどで正逆回転させることにより、スライド部材５を水平材３に沿って前後方向にスライドさせることができる。
【００１８】
この場合、例えばボルト６を正方向に回転させると、ボルト６が前進してスライド部材５を前方へスライドさせるが、逆方向に回転させる時は、ボルト６のみが後退するため、このボルト６が後退した分、スライド部材５を手で後方へスライドさせればよい。
【００１９】
ブラケット本体１のスライド部材５の下端部に設けられる当て金７は、鋼板を断面外向きＵ字状に折曲してなるもので、スライド部材５の下端部に溶接により固着されている。また、浮上がり止め２を構成する縦材９の下端部に設けられる当て金１１も、同様に鋼板を断面下向きＵ字状に折曲してなるもので、縦材９の下端部に溶接によって固着されている。
【００２０】
図２の(a) ，(b) から分かるように、ブラケット本体１には水平材３の垂直材４側端部下面及び垂直材４の内側面に 弾性パッド１７，１８が取り付けられ、浮上がり止め２には当て金１１の上面に弾性パッド１９が取り付けられている。
【００２１】
また、ブラケット本体１の垂直材４に取り付けられるパイプクランプ８は、図２の(a) から分かるように、垂直材４に一定間隔おきに溶接された鋼板製のコ字形取付台座２１にボルト２２によって取り付けられる。また、浮上がり止め２側のパイプクランプ２０は、図１の(b) に示すように、縦材９の上端部にボルト２３によって取り付けられる。
【００２２】
上記のように構成される単管足場用ブラケットＡの使用にあたっては、浮上がり止め２の縦材９をブラケット本体１の垂直材４に添わせた状態でパイプクランプ２０により垂直材４に取り付けると共に、縦材９下端部の当て金１１を、ブラケット本体１の水平材３に対して直角又はそれ以上に開くような位置にパイプクランプ２０によって保持しておき、またスライド部材固定用ボルト６を緩めて、スライド部材５の下端に突出する当て金７と垂直材４との間隔をベランダ鼻先部１０の幅より適当に広くなる状態にしておく。
【００２３】
しかして、ブラケット本体１の水平材３をベランダ鼻先部１０の上端面１０ａに載せると共に、垂直材４を鼻先部１０の外側面１０ｂに当て付けた状態とし、斯かる状態から、スライド部材固定用ボルト６の回転操作部６ｂを締付方向に回転して、スライド部材５を前進スライドさせることにより、当て金７を鼻先部１０の内側面１０ｃに押し付けた後、浮上がり止め２のハンドル縦材回転操作用ハンドル１２を、図１の(b) 及び図２の(b) の夫々仮想線で示すような位置から実線図示位置へと回すことにより、縦材９をそれ自体の軸芯周りに回転させて、縦材９下端部の当て金１１をベランダの下面１０ｄに位置させ、そして縦材９を持ち上げて当て金１１をベランダ下面１０ｄに引き付けた状態で、パイプクランプ２０を締め付けて縦材９をブラケット本体１の垂直材４に固定することにより、ブラケット本体１は、図１の(a) 及び図４の(a) に示すように、ベランダの鼻先部１０に対して浮き上がり不能に固定されることになる。
【００２４】
上記のようにしてベランダの鼻先部１０に固定した単管足場用ブラケットＡを使用して例えばマンションのベランダの外側に単管足場Ｋを組み立てた状態を図３に示す。即ち、この単管足場Ｋの組立てにおいては、各ブラケットＡのブラケット本体１の垂直材４にパイプクランプ８で内側縦地単管Ｐinを掴持して固定することにより、内側縦地単管Ｐinを鉛直姿勢に保持する。この内側縦地単管Ｐinの外側に外側縦地単管Ｐouを配置し、内側縦地単管Ｐinと外側縦地単管Ｐouとの間には足場板のフック（図示せず）が掛合する伸縮自在の水平杆を有する伸縮ブラケット２４を介装し、また詳しい図示は省略するが、足場板長手方向に隣り合う内側縦地単管Ｐin及び外側縦地単管Ｐouの間に水平ブレス２５を介装すると共に、足場板長手方向に隣り合う外側縦地単管Ｐou間には手摺り兼ブレス２６を介装し、しかして内側縦地単管Ｐin及び外側縦地単管Ｐouを順次継ぎ足しながら、図３に示すような単管足場Ｋを組み立てる。
【００２５】
こうして組み立てた単管足場Ｋを使用してマンションなどの外壁補修工事を施工するわけであるが、高層マンションなどにおける外壁補修工事の場合は、図３に示すような単管足場Ｋによって例えば１階から３階までの外壁補修工事を行ない、その工事が終われば、この単管足場Ｋをベランダ側から切り離し、クレーンで吊り上げて、４階から６階にわたるベランダ側に設置し、以降も同様に単管足場Ｋを数階ごとに移動させる、つまり盛り替えながら工事を行なうようにする。このような場合に、単管足場用ブラケットＡがきわめて有効となる。
【００２６】
即ち、上記のように１階から３階までの外壁補修工事を終えて単管足場Ｋをベランダ側から切り離す時には、各単管足場用ブラケットＡのブラケット本体１側のスライド部材固定用ボルト６を緩めると共に、浮上がり止め２側の縦材回転操作用ハンドル１２を回して縦材９の下端部の当て金１１をベランダの下面１０ｄから離脱させるようにすればよく、また切り離した単管足場Ｋを上階側のベランダに設置する時には、ブラケット本体１側のスライド部材固定用ボルト６を締め付け、浮上がり止め２側の縦材９をハンドル１２にて回転操作すればよいから、単管足場Ｋの盛り替え作業が容易となる。
【図面の簡単な説明】
【００２７】
【図１】(a) は本発明に係る単管足場用ブラケットの使用状態を示す正面図、(b) は平面図、(c) は側面図である。
【図２】(a) は同単管足場用ブラケットのブラケット本体を示す正面図、(b) は浮上がり止めを示す正面図である。
【図３】単管足場用ブラケットを使用してベランダの外側に単管足場を組み立てた状態の側面図である。
【図４】(a) は図３の矢印Ｘで示す部分の拡大図で、ベランダの鼻先部に単管足場用ブラケットを取り付けた状態の正面図、(b) は平面図であり、(c) は浮上がり止めの当て金を縦材の回転によりベランダ下面に対し出し入れする状態を説明する説明図である。
【図５】(a) 及び(b) は従来の単管足場用ブラケットの取付状態を説明する正面図である。
【符号の説明】
【００２８】
Ａ            単管足場用ブラケット
１            ブラケット本体
２            浮上がり止め
３            水平材
４            垂直材
５            スライド部材
６            スライド部材固定用ボルト
７            当て金
８            パイプクランプ
９            縦材
１０          ベランダの鼻先部
１１          当て金
１２          縦材回転操作用ハンドル
１３          ボルト支持台
１４          ナット部材
２０          パイプクランプ
【図１】
2008144533.tif 000003
【図２】
2008144533.tif 000004
【図３】
2008144533.tif 000005
【図４】
2008144533.tif 000006
【図５】
2008144533.tif 000007